(57)【要約】【課題】持ち運び可能な警報器を持ち運び先で設置しやすくするとともに、警報器連動端末を載置することで、就寝中でも防護領域内の異常に気がつきやすくする警報器収納箱を提供することを目的とする。【解決手段】本発明は、本体より外側に突出して防護領域の異常を検出する検出部を備えた警報器と当該警報器を固定する警報器ベースとを内部に収納可能な箱状に形成された筐体と、筐体と別体に設けられた蓋部と、を備えた警報器収納箱であって、筐体は、警報器を警報器ベースに固定して収納した状態で検出部が筐体外に露出する高さからなり、蓋部は、警報器と向かい合う面に、警報器の検出部を挿入する挿入部を設けたことを特徴とするものである。【選択図】図１
2015148858.tif 000002
【特許請求の範囲】
【請求項１】
本体より外側に突出して防護領域の異常を検出する検出部を備えた警報器と当該警報器を固定する警報器ベースとを内部に収納可能な箱状に形成された筐体と、該筐体と別体に設けられた蓋部と、を備えた警報器収納箱であって、
前記筐体は、
前記警報器を前記警報器ベースに固定して収納した状態で前記検出部が前記筐体外に露出する高さからなり、
前記蓋部は、
前記警報器と向かい合う面に、前記警報器の検出部を挿入する挿入部を設けたことを特徴とする警報器収納箱。
【請求項２】
前記警報器ベースは、前記筐体の底面内面に固定されることを特徴とする請求項１記載の警報器収納箱。
【請求項３】
前記蓋部は、前記警報器が発した警報音を判別すると防護領域内の異常が発生したと判断し、振動部を振動させる警報連動端末を設置する設置部を備えたことを特徴とする請求項１または２記載の警報器収納箱。
【請求項４】
前記筐体または前記蓋部は、前記振動を増幅させる共鳴部を備えたことを特徴とする請求項３記載の警報器収納箱。
【発明の詳細な説明】
【技術分野】
【０００１】
この発明は、警報器を持ち運び可能な警報器収納箱について、持ち運び先でも警報器が防護領域の異常を容易に検出可能とする警報器収納箱に関する。
【背景技術】
【０００２】
従来、住宅における火災を検出して警報する住宅用警報器（以下「住警器」という）が普及しており（例えば、特許文献１参照）、このような住警器は電池によって動作する。
一方、宿泊施設に設けられている非常ベル等の音響警報装置は廊下に設けられていることが多く、睡眠中は音響警報装置の音に気がつき難いという虞があることから、利用者が個人的に旅行先などの宿泊施設まで住警器を持ち運んで利用することが考えられる。
【先行技術文献】
【特許文献】
【０００３】
【特許文献１】特開２０１１−１３９３８号公報
【発明の概要】
【発明が解決しようとする課題】
【０００４】
そこで、従来の住警器を持ち運ぶ際、誤操作の防止や検出部の保護を兼ねて警報器収納箱に収納するが、持ち運ぶ度に警報器を出し入れする必要があり、容易に設置できないという問題があった。
本発明は、上述のような課題を解決するためになされたものであり、持ち運び可能な警報器を持ち運び先で容易に設置可能にするとともに、蓋部に警報器連動端末を載置することで、就寝中でも防護領域内の異常に気がつきやすくする警報器収納箱を提供することを目的とする。
【課題を解決するための手段】
【０００５】
本発明は、本体より外側に突出して防護領域の異常を検出する検出部を備えた警報器と警報器を固定する警報器ベースとを内部に収納可能な箱状に形成された筐体と、筐体と別体に設けられた蓋部と、を備えた警報器収納箱であって、筐体は、警報器を警報器ベースに固定して収納した状態で検出部が筐体外に露出する高さからなり、蓋部は、警報器と向かい合う面に、警報器の検出部を挿入する挿入部を設けたことを特徴とするものである。
【０００６】
また、本発明は、警報器ベースは、筐体の底面内面に固定されることを特徴とするものである。
【０００７】
また、本発明は、蓋部は、警報器が発した警報音を判別すると防護領域内の異常が発生したと判断し、振動部を振動させる警報連動端末を設置する設置部を備えたことを特徴とするものである。
【０００８】
また、本発明は、筐体または蓋部は、振動を増幅させる共鳴部を備えたことを特徴とするものである。
【発明の効果】
【０００９】
本発明は、警報器を警報器ベースに固定して収納した状態で検出部が筐体外に露出する高さとなるように警報器収納箱の筐体を形成したので、警報器を警報器収納箱に収納しても、持ち運び先で容易に設置可能にし、即座に監視状態とすることができる。
また、本発明は、警報器ベースが筐体の底面内面に固定されるので、警報器収納箱を立てて設置しても、警報器収納箱から警報器が落ちず、監視状態を維持できる。
また、本発明は、警報連動端末を設置する設置部を蓋部に備えたので、睡眠中でも警報連動端末の振動に気がつきやすくなる。
また、本発明は、筐体または蓋部に振動を増幅させる共鳴部を備えたので、より確実に警報連動端末の振動に気がつきやすくなる。
【図面の簡単な説明】
【００１０】
【図１】本発明の実施の形態における警報器収納箱の蓋部、筐体及び警報器の断面図である。
【図２】本発明の実施の形態における警報器収納状態断面図である。
【図３】本発明の実施の形態における警報器収納状態の警報器収納箱設置状態断面図である。
【図４】本発明の実施の形態における警報器収納箱設置状態斜視図である。
【図５】本発明の実施の形態における警報器連動端末の構成図である。
【発明を実施するための形態】
【００１１】
以下、本発明の警報器収納箱の好適な実施の形態につき図１〜５を用いて説明する。
警報器収納箱Aは、筐体２と蓋部３からなり、内部に火災警報器１（警報器の一例）が収納されている。
【００１２】
火災警報器１は、警報器本体１１内に設けられた火災検出部１２と、操作部１３、及び図示しない警報部により構成されている。
【００１３】
警報器本体１１は、略円柱状に形成されており、底面に後述する警報器ベース２１と係合可能な接続部を備えている。さらに、警報器本体１１の上面には警報器本体１１よりも小径の火災検出部１２が突出して設けられ、警報器本体１１は、火災検出部１２との間に上方に突出する内向きの傾斜面が設けられている。そして、該傾斜面には操作部１３と図示しない警報部が設けられている。
【００１４】
火災検出部１２は、防護領域内の異常を検出する異常検出部の一例であり、発光素子と受光素子からなる煙検出部や、サーミスタからなる熱検出部などからなり、火災の煙や熱などを検出するものである。
【００１５】
操作部１３は、警報器本体１１の上面に形成された傾斜面に設けられ、利用者が押下することによって、火災検出部１２が正常に動作しているかどうかを点検するものである。
警報部は、スピーカからなり、防護領域に対して後述する火災警報音を鳴動するものである。
【００１６】
火災警報音として広く一般に普及しているものは、例えばスイープ音が二度鳴動した後、「火事です」という人の声による音声を２回鳴動させたものを１組とし、図示しない警報器制御部によって警報部から繰り返し鳴動される。
【００１７】
警報器収納箱Aは、筐体２と蓋部３からなり、筐体２は上面開口部を備え、底面内面に警報器ベース２１と火災警報器１を収納可能な箱状に形成されている。
底面内面に設けられた警報器ベース２１は、筐体２の底面２２に例えばねじ止めされて固定され、火災警報器１の警報器本体１１を係合して固定する。
【００１８】
筐体２の側壁２３は、警報器ベース２１に火災警報器１を設置した状態の警報器本体１１の高さと略同一の高さに設定され、火災警報器１の火災検出部１２が、筐体２より外部に露出するようになっている。より詳しく述べると、側壁２３の高さは、警報器本体１１までの高さ、つまり、警報器本体１１の上面に形成された傾斜面と火災検出部１２が露出する高さとなっている。
【００１９】
筐体２の底面２２及び側壁２３には、Ｌ字状に形成されたフック部２４が設けられている。フック部２４は側壁２３の一部を底面２２方向に向かってスライドさせることによって、底面２２の一部が外部に突出し、この突出した部分を防護領域の壁面に設けられた鴨居５等に引っかけることが可能となる。
【００２０】
蓋部３は、下面開口部を備えた箱状に形成され、筐体２の上面開口部を覆うことで火災警報器１を収納可能としている。さらに蓋部３は、火災検出部１２が挿入される固定部３１を内部に備えるとともに、固定部３１（挿入部の一例）を横断する位置に、後述する火災警報連動端末４を載置可能な長方形の溝部３３が備えられている。
【００２１】
固定部３１は、火災警報器１の火災検出部１２を包含可能な大きさの正方形の開口からなり、火災検出部１２の下端までを覆う高さを有している。
【００２２】
また、蓋部３の内部には、固定部３１と天板３４の間に火災警報連動端末４の振動または、火災警報音が共鳴して音量を増大させる共鳴部３２を備えている。
【００２３】
共鳴部３２は、固定部３１と天板３４の間に設けられた空洞からなるが、例えばビーズのような細かい粒子状のものを入れることで、振動を大きくするようにしても良い。
【００２４】
火災警報連動端末４（警報連動端末の一例）は、樹脂製の連動端末本体４１内に設けられた、音収集部４２と、警報音記憶部４３と、音判別部４４と、振動部４５と、タイマ部４６と、連動端末制御部４７によって構成されている。
【００２５】
音収集部４２はマイクからなり、火災警報連動端末４の周囲の音を収集し、Ａ／Ｄ変換して音判別部４４に出力するものである。
【００２６】
警報音記憶部４３は火災警報音の特徴（周波数が連続して変化するスイープ音の特徴である周波数の変化推移や、「火事です」という人の声による音声の特徴である音声のパワースペクトルや言語情報など）があらかじめ記憶されている。
【００２７】
音判別部４４は、音収集部４２によって収集された周囲の音と、警報音記憶部４３に記憶された火災警報音の特徴とを比較分析し、音収集部４２から入力された音が警報音記憶部４３に記憶された火災警報音の特徴と同一または類似している場合に、火災警報器１から火災警報音が発せられたと判断するものである。
【００２８】
振動部４５はモーターが回転することによって火災警報連動端末４全体を振動させるものである。
【００２９】
タイマ部４６は日時、または所定時間をカウントするものであって、図示しない操作部によって日時または所定時間を設定されるものである。
【００３０】
連動端末制御部４７は、後述するプログラムによって火災警報連動端末４を制御するものであって、操作部１３によって設定された日時または所定時間をタイマ部４６にカウントさせ、タイマ部４６が所定時間カウントしている間のみ動作するものである。
【００３１】
さらに連動端末制御部４７は、音収集部４２が収集した音と、警報音記憶部４３に記憶に記憶された火災警報音の特徴を音判別部４４に比較判別させ、音判別部４４が、火災警報器１から火災警報音が発せられたと判断した場合に、振動部４５を振動させるものである。
【００３２】
そして、火災警報連動端末４は火災警報器１と同一の防護領域内に設け、例えば就寝時に利用者が火災警報連動端末４の操作部を操作して、所定時間、火災警報連動端末４を動作させておく。
【００３３】
次に、本発明の警報器収納箱Aを利用する際の手順について説明する。
利用者は、火災警報器１を自宅の天井面に常時設置している。そして、利用者が旅行などの宿泊を伴う外出に出かける際、天井面に設置された火災警報器１を取り外し、本発明の警報器収納箱Aに収納する。
【００３４】
より詳しく述べると、火災警報器１は、警報器収納箱Aを構成する筐体２の底面２２に固定された警報器ベース２１に係合して固定する。このとき、火災警報器１の火災検出部１２は、筐体２の側壁２３より上部に露出するように固定される。
【００３５】
そして、蓋部３を筐体２の上面から覆うように蓋をするが、このとき、蓋部３に設けられた固定部３１に、筐体２より上部に露出した火災検出部１２を挿入して固定する。
このとき、火災警報器１の電池を抜いた状態で持ち運ぶことで誤作動を防止することが考えられるが、電池を入れた状態、つまり電源が入った状態で持ち運ぶ場合であっても、火災警報器１を警報器収納箱Aに収納することによって、蓋部３が火災警報器１を覆うので、外力が加わっても操作部１３を誤操作する虞がない。
【００３６】
利用者は宿泊先に到着すると、蓋部３を筐体２から外し、筐体２の底面２２に設けられたフック部２４をスライドさせることによって、フック部２４を外部に突出させ、図３、図４に示すように鴨居５などに引っかけて設置する。このとき、火災警報器１は筐体２内に固定された警報器ベース２１に係合しているので、落ちること無く天井面付近に固定される。これにより、筐体２から火災検出部１２が露出した状態で固定されるので、火災を検出できるものとなっている。
【００３７】
同時に、図4に示すように、利用者は蓋部３を反転し火災警報連動端末４を溝部３３に載置する。
【００３８】
次に、火災発生時の動作について説明する。
宿泊施設内で火災が発生すると、鴨居５等の天井付近に設けられた火災警報器１の火災検出部１２が火災を検出し、火災警報音を発する。
【００３９】
火災警報連動端末４は、火災警報器１から発せられた火災警報音を認識すると、振動部４５を振動させる。
【００４０】
蓋部３に載置された火災警報連動端末４が振動すると、蓋部３の共鳴部３２が振動と共鳴することによって振動音が増幅される。これにより利用者は就寝中であっても防護領域内の異常に気がつくことができ、逃げ遅れが防止できるものとなっている。
【００４１】
なお、本発明は上記実施形態に限定されず、例えば火災警報連動端末４のように専用の端末ではなく、例えば音収集部４２、警報音記憶部４３、音判別部４４、振動部４５、タイマ部４６をあらかじめ備えたスマートフォンのような汎用端末にプログラムを導入することによって実現してもよい。
【００４２】
また、宿泊先によっては鴨居５などが無い場合や、火災をより早く検出するために部屋の入り口付近に火災警報器１を設置した場合でも、火災警報音が共鳴部３２によって増幅されることによって、火災警報連動端末４が火災警報音を認識しやすくするという効果が得られるものとなっている。
【００４３】
また、蓋部３の固定部３１は、火災検出部１２を包含可能な大きさの正方形の開口としたが、例えば火災検出部１２と略同一平面の大きさとしてもよい。
【００４４】
また、筐体２の側壁２３は、警報器本体１１の高さとしたが、例えば警報器本体１１の上面に形成された傾斜面まで覆う高さとしても良い。
【００４５】
また、警報器ベース２２は筐体２の底面２２にねじ止めされるものとしたが、例えばテープや接着剤のようなもので固定してもよい。
【００４６】
また、共鳴部３２は、蓋部３に設けたが、筐体２の底面に設けても良い。これにより、火災警報が共鳴し、増幅されることによって警報連動端末４に火災警報が届きやすくなるという効果が得られる。
【符号の説明】
【００４７】
A  警報器収納箱、１  火災警報器、１１  警報器本体、１２  火災検出部、１３  操作部、２  筐体、２１  警報器ベース、２２  底面、２３  側壁、２４  フック部、３  蓋部、３１  固定部、３２  共鳴部、３３  溝部、３４  天板、４  警報連動端末、４１  連動端末本体、４２  音収集部、４３  警報音記憶部、４４  音判別部、４５  振動部、４６  タイマ部、４７  連動端末制御部、５  鴨居。
【図１】
2015148858.tif 000003
【図２】
2015148858.tif 000004
【図３】
2015148858.tif 000005
【図４】
2015148858.tif 000006
【図５】
2015148858.tif 000007